(57)【要約】【課題】食品の収納スペースが小さくなることを抑える。【解決手段】Ｌ電磁石４８とＲ電磁石４９とＩ電磁石５０とＳ電磁石のそれぞれが延長ロッド５６の後退位置で磁化されたときには延長ロッド５６が回転することに基づいてプッシュヘッド５９がＬプッシャ４３とＲプッシャ４４とＩプッシャ４５とＳプッシャのうち延長ロッド５６の回転位置に応じた１つのものに後方から対向する。この状態でドア操作ソレノイド３１が作動したときにはプッシュヘッド５９が後退位置から前進位置へ移動し、Ｌプッシャ４３〜Ｓプッシャのうちプッシュヘッド５９の前方の１つのものがプッシュヘッド５９によって退避位置から押圧位置へ押圧操作され、複数のドアのうちプッシュヘッド５９の前方の１つのものが閉鎖状態から前方へ押圧操作される。このため、キャビネット内にドア操作装置をドア毎に収納する必要がなくなるので、キャビネットの収納スペースが小さくなることを抑えることができる。【選択図】図３
2009139018.tif 000002
【特許請求の範囲】
【請求項１】
使用者側である前面が開口する箱状のキャビネットと、
前記キャビネットの前面を閉鎖する閉鎖状態および前記キャビネットの前面を開放する開放状態相互間で移動可能なものであって、相互に隣接する複数のドアと、
前記複数のドアのそれぞれに対して設けられ、前記ドアの閉鎖状態で前記ドアを前方へ押圧操作する押圧位置および当該押圧位置に比べて後方の位置であって前記ドアの閉鎖状態で前記ドアから離間する退避位置相互間で移動可能な複数のプッシャ部材と、
前後方向へ延びる軸を中心に回転可能なものであって、後退位置および当該後退位置より前方の前進位置相互間で移動可能な可動部材と、
前記可動部材に設けられ、前記可動部材が前記後退位置で前記軸を中心に回転することに基づいて前記複数のプッシャ部材のそれぞれに後方から対向するように円周方向へ移動する操作部材と、
前記可動部材を前記後退位置で前記軸を中心に回転操作することに基づいて前記操作部材を円周方向へ移動操作する第１の駆動源と、
前記可動部材を前記後退位置および前記前進位置相互間で移動操作する第２の駆動源と、
前記第１の駆動源を駆動制御することに基づいて前記可動部材の回転位置を制御するものであって、前記操作部材を前記複数のプッシャ部材のうち前記可動部材の回転位置に応じた一つのものに後方から対向させる第１の駆動制御手段と、
前記第２の駆動源を駆動制御することに基づいて前記可動部材を前記後退位置および前記前進位置相互間で移動操作するものであって、前記可動部材を前記後退位置から前記前進位置へ移動操作することに基づいて前記操作部材の前方のプッシャ部材を前記操作部材によって前記退避位置から前記押圧位置へ押圧操作し、当該プッシャ部材の前方のドアを当該プッシャ部材によって前記閉鎖状態から前方へ押圧操作する第２の駆動制御手段を備えたことを特徴とする冷蔵庫。
【請求項２】
前記複数のドアのそれぞれに設けられ、使用者が操作することが可能な操作子を備え、
前記第１の駆動制御手段は、前記複数の操作子のそれぞれの操作内容に応じて前記第１の駆動源を駆動制御するものであって、前記複数のドアのうち前記操作子の操作内容に応じたものが閉鎖状態から前方へ操作されるように前記操作部材を前記複数のプッシャ部材のうちの一つに後方から対向させることを特徴とする請求項１に記載の冷蔵庫。
【請求項３】
前記第２の駆動源は、前後方向へ直線的に移動可能であると共に前後方向へ延びる軸を中心に回転可能なプランジャを有する電磁ソレノイドからなり、
前記可動部材は、前記電磁ソレノイドのプランジャに連結されたものであって前記電磁ソレノイドのプランジャを介して前後方向および回転方向のそれぞれに移動操作されるものであり、
前記第１の駆動源は、前記電磁ソレノイドのプランジャに設けられた永久磁石および前記電磁ソレノイドのプランジャを取囲むように円周方向に相互に間隔を置いて設けられた複数の電磁石からなり、
前記第１の駆動制御手段は、前記複数の電磁石のうちいずれか一つの電磁石から前記永久磁石に磁気吸引力が作用すると共に残りの電磁石から前記永久磁石に磁気反発力が作用するように前記複数の電磁石のそれぞれを駆動制御するものであって、前記プランジャを前記永久磁石が一つの電磁石に磁気吸引力で吸引される位置に回転操作することに基づいて前記可動部材の回転位置を制御することを特徴とする請求項１〜２のいずれかに記載の冷蔵庫。
【請求項４】
前記複数の電磁石のそれぞれは、前記可動部材が前記前進位置および前記後退位置のいずれに操作されているときであっても前記永久磁石が径方向から対向する長さ寸法に設定されたものであり、
前記第１の駆動制御手段は、前記第２の駆動制御手段が前記可動部材を前記電磁ソレノイドのプランジャを介して前記後退位置から前記前進位置へ移動操作するときに前記複数の電磁石のそれぞれを通電状態に維持することに基づいて前記可動部材を回転方向に磁力でロックすることを特徴とする請求項３に記載の冷蔵庫。
【請求項５】
前記可動部材は、前記電磁ソレノイドのプランジャに連結されたものであって前後方向へ延びる棒状の延長ロッドからなり、
前記操作部材は、前記延長ロッドに前記延長ロッドの移動方向に対して交差する方向へ延びる連結ロッドを介して設けられたものであって前後方向へ延びる棒状のプッシュロッドからなることを特徴とする請求項３〜４のいずれかに記載の冷蔵庫。
【発明の詳細な説明】
【技術分野】
【０００１】
本発明はキャビネットのドアを閉鎖状態から開放状態に向けて操作するドア操作装置を備えた冷蔵庫に関する。
【背景技術】
【０００２】
上記冷蔵庫には操作子が操作されることに基づいてドア操作装置の駆動源に駆動電源を印加する構成のものがある。このドア操作装置は押圧位置および退避位置相互間で移動可能なプッシャ部材を備えたものであり、プッシャ部材は駆動源に駆動電源が印加されることに基づいて退避位置から押圧位置へ移動し、ドアはプッシャ部材が退避位置から押圧位置へ移動することに基づいて閉鎖状態から前方へ押圧操作される。
【特許文献１】特願２００６−１８４９８７
【発明の開示】
【発明が解決しようとする課題】
【０００３】
上記冷蔵庫の場合にはドア操作装置がキャビネット内に収納されている。このため、複数のドアのそれぞれをドア操作装置によって操作しようとしたときにはキャビネット内にドア操作装置をドア毎に収納する必要がある。従って、キャビネットの内容積がドア操作装置の個数に応じた分だけ狭くなるので、食品を収納するための収納スペースが小さくなる問題が発生する。
【０００４】
本発明は上記事情に鑑みてなされたものであり、キャビネットの収納スペースが小さくなることを抑えながらも複数のドアのそれぞれをドア操作装置によって操作することができる冷蔵庫を提供することを目的とするものである。
【課題を解決するための手段】
【０００５】
本発明の冷蔵庫は、使用者側である前面が開口する箱状のキャビネットと、前記キャビネットの前面を閉鎖する閉鎖状態および前記キャビネットの前面を開放する開放状態相互間で移動可能なものであって相互に隣接する複数のドアと、前記複数のドアのそれぞれに対して設けられ前記ドアの閉鎖状態で前記ドアを前方へ押圧操作する押圧位置および当該押圧位置に比べて後方の位置であって前記ドアの閉鎖状態で前記ドアから離間する退避位置相互間で移動可能な複数のプッシャ部材と、前後方向へ延びる軸を中心に回転可能なものであって後退位置および当該後退位置より前方の前進位置相互間で移動可能な可動部材と、前記可動部材に設けられ前記可動部材が前記後退位置で前記軸を中心に回転することに基づいて前記複数のプッシャ部材のそれぞれに後方から対向するように円周方向へ移動する操作部材と、前記可動部材を前記後退位置で前記軸を中心に回転操作することに基づいて前記操作部材を円周方向へ移動操作する第１の駆動源と、前記可動部材を前記後退位置および前記前進位置相互間で移動操作する第２の駆動源と、前記第１の駆動源を駆動制御することに基づいて前記可動部材の回転位置を制御するものであって前記操作部材を前記複数のプッシャ部材のうち前記可動部材の回転位置に応じた一つのものに後方から対向させる第１の駆動制御手段と、前記第２の駆動源を駆動制御することに基づいて前記可動部材を前記後退位置および前記前進位置相互間で移動操作するものであって前記可動部材を前記後退位置から前記前進位置へ移動操作することに基づいて前記操作部材の前方のプッシャ部材を前記操作部材によって前記退避位置から前記押圧位置へ押圧操作し当該プッシャ部材の前方のドアを当該プッシャ部材によって前記閉鎖状態から前方へ押圧操作する第２の駆動制御手段を備えたところに特徴を有している。
【発明の効果】
【０００６】
第１の駆動源が可動部材の後退位置で作動したときには可動部材が軸を中心に回転することに基づいて操作部材が円周方向へ移動し、操作部材が複数のプッシャ部材のうち可動部材の回転位置に応じた１つのものに後方から対向する。この状態で第２の駆動源が作動したときには操作部材が後退位置から前進位置へ移動し、操作部材の前方の１つのプッシャ部材が操作部材によって退避位置から押圧位置へ押圧操作され、１つのプッシャ部材の前方のドアが１つのプッシャ部材によって閉鎖状態から前方へ押圧操作される。このため、複数のドアのそれぞれを共通のドア操作装置によって択一的に閉鎖状態から前方へ操作することができるので、キャビネット内にドア操作装置をドア毎に収納する必要がなくなる。従って、キャビネットの収納スペースが小さくなることを抑えることができる。
【発明を実施するための最良の形態】
【０００７】
［実施例１］
キャビネット１は、図１に示すように、前面が開口する箱状をなすものであり、底板と左側板と右側板と天板と後板を有する縦長な長方形状をなしている。このキャビネット１は外箱の内部に内箱を収納し、外箱および内箱相互間の隙間に断熱材を充填することから構成されたものであり、キャビネット１の内部には水平な上断熱仕切壁２が固定されている。この上断熱仕切壁２は中空状のケース内に固形状の断熱材を収納することから構成されたものであり、キャビネット１の内部には上断熱仕切壁２の上方に位置して冷蔵室３が形成されている。
【０００８】
キャビネット１には、図２に示すように、冷蔵室３の前方に位置してＬドア４およびＲドア５のそれぞれが装着されている。Ｌドア４は冷蔵室３の前面のうち左半部を閉鎖する閉鎖状態および左半部を開放する開放状態相互間で垂直な軸６を中心に回動可能にされたものであり、Ｒドア５は冷蔵室３の前面のうち右半部を閉鎖する閉鎖状態および右半部を開放する開放状態相互間で垂直な軸７を中心に回動可能にされたものである。これらＬドア４およびＲドア５のそれぞれはドアに相当するものであり、冷蔵室３は貯蔵室に相当するものである。
【０００９】
Ｌドア４の後面およびＲドア５の後面のそれぞれには、図１に示すように、ゴム製のガスケット８が固定されている。Ｌドア４のガスケット８はＬドア４を取囲む枠状をなすものであり、Ｌドア４はＬドア４の閉鎖状態でガスケット８がキャビネット１および上断熱仕切壁２のそれぞれの前面に接触することに基づいて冷蔵室３の左半部を密閉する。Ｒドア５のガスケット８はＲドア５を取囲む枠状をなすものであり、Ｒドア５はＲドア５の閉鎖状態でガスケット８がキャビネット１および上断熱仕切壁２のそれぞれの前面に接触することに基づいて冷蔵室３の右半部を密閉する。この冷蔵室３の室壁には冷気吹出口が固定されており、冷蔵室３内はＬドア４およびＲドア５のそれぞれの閉鎖状態で冷気吹出口から冷気が供給されることに基づいて食品を冷蔵保存することが可能な冷蔵温度帯域にコントロールされる。
【００１０】
Ｌドア４およびＲドア５のそれぞれには、図２に示すように、縦長な手掛部９が形成されている。Ｌドア４の手掛部９は使用者が手指を引掛けてＬドア４を操作するためのものであり、Ｌドア４の手掛部９には操作子に相当するＬドアボタン１０が装着されている。Ｒドア５の手掛部９は使用者が手指を引掛けてＲドア５を操作するためのものであり、Ｒドア５の手掛部９には操作子に相当するＲドアボタン１１が装着されている。これらＬドアボタン１０およびＲドアボタン１１のそれぞれは使用者が前方から操作可能なものであり、初期位置および初期位置より後方の押込み位置相互間で前後方向へ直線的に移動可能にされている。
【００１１】
Ｌドアボタン１０およびＲドアボタン１１のそれぞれには永久磁石が連結されている。Ｌドアボタン１０の永久磁石はＬドア４の内部に上断熱仕切壁２の前方に位置して収納されたものであり、Ｌドアボタン１０の押込み位置で操作位置に移動し、Ｌドアボタン１０の初期位置で操作位置に比べて前方の非操作位置に移動する。Ｒドアボタン１１の永久磁石はＲドア５の内部に上断熱仕切壁２の前方に位置して収納されたものであり、Ｒドアボタン１１の押込み位置で操作位置に移動し、Ｒドアボタン１１の初期位置で操作位置に比べて前方の非操作位置に移動する。
【００１２】
キャビネット１の内部には、図１に示すように、上断熱仕切壁２の下方に位置して水平な中断熱仕切壁１２が固定されている。この中断熱仕切壁１２は中空状のケース内に固形状の断熱材を収納することから構成されたものであり、キャビネット１の内部には上断熱仕切壁２および中断熱仕切壁１２相互間に位置して製氷室１３およびセレクト室が左右方向に並べて形成されている。このキャビネット１には、図２に示すように、製氷室１３の前方に位置してＩスライドドア１４が装着され、セレクト室の前方に位置してＳスライドドア１５が装着されている。Ｉスライドドア１４は製氷室１３の前面を閉鎖する閉鎖状態および製氷室１３の前面を開放する開放状態相互間で前後方向へ直線的に移動可能にされたものであり、Ｓスライドドア１５はセレクト室の前面を閉鎖する閉鎖状態およびセレクト室の前面を開放する開放状態相互間で前後方向へ直線的に移動可能にされたものである。これらＩスライドドア１４およびＳスライドドア１５のそれぞれはドアに相当するものであり、製氷室１３およびセレクト室のそれぞれは貯蔵室に相当するものである。
【００１３】
Ｉスライドドア１４の後面およびＳスライドドア１５の後面のそれぞれには、図１に示すように、ゴム製のガスケット１６が固定されている。Ｉスライドドア１４のガスケット１６はＩスライドドア１４を取囲む枠状をなすものであり、Ｉスライドドア１４はＩスライドドア１４の閉鎖状態でガスケット１６がキャビネット１と上断熱仕切壁２と中断熱仕切壁１２のそれぞれの前面に接触することに基づいて製氷室１３を密閉する。Ｓスライドドア１５のガスケット１６はＳスライドドア１５を取囲む枠状をなすものであり、Ｓスライドドア１５はＳスライドドア１５の閉鎖状態でガスケット１６がキャビネット１と上断熱仕切壁２と中断熱仕切壁１２のそれぞれの前面に接触することに基づいてセレクト室を密閉する。これら製氷室１３の室壁およびセレクト室の室壁のそれぞれには冷気吹出口が固定されており、製氷室１３内はＩスライドドア１４の閉鎖状態で冷気吹出口から冷気が供給されることに基づいて水を氷結させることが可能な製氷温度帯域にコントロールされ、セレクト室内はＳスライドドア１５の閉鎖状態で冷気吹出口から冷気が供給されることに基づいて食品を冷蔵保存することが可能な冷蔵温度帯域および食品を冷凍保存することが可能な冷凍温度帯域のいずれかにコントロールされる。
【００１４】
Ｉスライドドア１４およびＳスライドドア１５のそれぞれには、図２に示すように、横長な手掛部１７が形成されている。Ｉスライドドア１４の手掛部１７は使用者が手指を引掛けてＩスライドドア１４を操作するためのものであり、Ｉスライドドア１４の手掛部１７には操作子に相当するＩドアボタン１８が装着されている。Ｓスライドドア１５の手掛部１７は使用者が手指を引掛けてＳスライドドア１５を操作するためのものであり、Ｓスライドドア１５の手掛部１７には操作子に相当するＳドアボタン１９が装着されている。これらＩドアボタン１８およびＳドアボタン１９のそれぞれは使用者が前方から操作可能なものであり、初期位置および初期位置より後方の押込み位置相互間で前後方向へ直線的に移動可能にされている。
【００１５】
Ｉドアボタン１８およびＳドアボタン１９のそれぞれには永久磁石が連結されている。Ｉドアボタン１８の永久磁石はＩスライドドア１４の内部に上断熱仕切壁２の前方に位置して収納されたものであり、Ｉドアボタン１８の押込み位置で操作位置に移動し、Ｉドアボタン１８の初期位置で操作位置に比べて前方の非操作位置に移動する。Ｓドアボタン１９の永久磁石はＳスライドドア１５の内部に上断熱仕切壁２の前方に位置して収納されたものであり、Ｓドアボタン１９の押込み位置で操作位置に移動し、Ｓドアボタン１９の初期位置で操作位置に比べて前方の非操作位置に移動する。
【００１６】
キャビネット１の内部には、図１に示すように、中断熱仕切壁１２の下方に位置して水平な下断熱仕切壁２０が固定されている。この下断熱仕切壁２０は中空状のケース内に固形状の断熱材を収納することから構成されたものであり、キャビネット１の内部には中断熱仕切壁１２および下断熱仕切壁２０相互間に位置して冷凍室２１が形成され、下断熱仕切壁２０の下方に位置して野菜室２２が形成されている。このキャビネット１には冷凍室２１の前方に位置してＦスライドドア２３が装着され、野菜室２２の前方に位置してＶスライドドア２４が装着されている。Ｆスライドドア２３は冷凍室２１の前面を閉鎖する閉鎖状態および冷凍室２１の前面を開放する開放状態相互間で前後方向へ直線的に移動可能にされたものであり、Ｖスライドドア２４は野菜室２２の前面を閉鎖する閉鎖状態および野菜室２２の前面を開放する開放状態相互間で前後方向へ直線的に移動可能にされたものである。
【００１７】
Ｆスライドドア２３の後面には、図１に示すように、ゴム製のガスケット２５が固定されている。このガスケット２５はＦスライドドア２３を取囲む枠状をなすものであり、Ｆスライドドア２３はＦスライドドア２３の閉鎖状態でガスケット２５がキャビネット１と中断熱仕切壁１２と下断熱仕切壁２０のそれぞれの前面に接触することに基づいて冷凍室２１を密閉する。この冷凍室２１の室壁には冷気吹出口が固定されており、冷凍室２１内はＦスライドドア２３の閉鎖状態で冷気吹出口から冷気が供給されることに基づいて食品を冷凍保存することが可能な冷凍温度帯域にコントロールされる。
【００１８】
Ｖスライドドア２４の後面には、図１に示すように、ゴム製のガスケット２６が固定されている。このガスケット２６はＶスライドドア２４を取囲む枠状をなすものであり、Ｖスライドドア２４はＶスライドドア２４の閉鎖状態でガスケット２６がキャビネット１および下断熱仕切壁２０のそれぞれの前面に接触することに基づいて野菜室２２を密閉する。この野菜室２２の室壁には冷気吹出口が固定されており、野菜室２２内はＶスライドドア２４の閉鎖状態で冷気吹出口から冷気が供給されることに基づいて食品を冷蔵保存することが可能な冷蔵温度帯域にコントロールされる。
【００１９】
キャビネット１の内部には、図３に示すように、ドア操作装置３０が収納されている。このドア操作装置３０はＬドア４とＲドア５とＩスライドドア１４とＳスライドドア１５のそれぞれを閉鎖状態から前方へ移動操作するものであり、次のように構成されている。上断熱仕切壁２の内部には第２の駆動源に相当するドア操作ソレノイド３１が固定されている。このドア操作ソレノイド３１は電磁ソレノイドからなるものであり、ソレノイドケース３２とソレノイドコイル３３とプランジャ３４を有している。ソレノイドケース３２は前板および後板のそれぞれを有する円筒状をなすものである。ソレノイドコイル３３は前面および後面のそれぞれが開口する円筒状をなすものであり、ソレノイドケース３２の内部に固定されている。プランジャ３４は前後方向へ直線的に延びる円柱状をなすものであり、ソレノイドコイル３３の内部に前後方向へ直線的に移動可能で且つ軸心線ＣＬを中心に回転可能に挿入されている。
【００２０】
プランジャ３４の後端部は、図３に示すように、ソレノイドケース３２の後板を貫通してソレノイドケース３２の後方へ突出しており、プランジャ３３の後端部にはソレノイドケース３２の外部に位置して鍔部３５が固定されている。この鍔部３５はプランジャ３４に比べて直径寸法が大きな円板状をなすものであり、プランジャ３４の外周部には鍔部３５およびソレノイドケース３２の後板相互間に位置してリターンスプリング３６が挿入されている。このリターンスプリング３６は圧縮コイルスプリングからなるものであり、プランジャ３４はソレノイドコイル３３のオフ状態でリターンスプリング３６が自然状態に伸張した後退位置にリターンスプリング３６のバネ力で操作され、ソレノイドコイル３３のオン状態でリターンスプリング３６の線材相互間が接触した前進位置にリターンスプリング３６のバネ力に抗して操作される。
【００２１】
上断熱仕切壁２の内部には、図３に示すように、プッシャガイド３７が固定されている。このプッシャガイド３７は前面および後面のそれぞれが開口する四角筒状をなすものであり、プッシャガイド３７の内部には仕切部材３８が固定されている。この仕切部材３８は水平な横板および垂直な縦板を相互に組合せてなる十字状をなすものであり、プッシャガイド３７の内部空間をＬプッシャ収納室３９とＲプッシャ収納室４０とＩプッシャ収納室４１とＳプッシャ収納室４２（図１０参照）に区画している。これらＬプッシャ収納室３９〜Ｓプッシャ収納室４２のそれぞれは前後方向へ延びる空間部を称するものであり、Ｌプッシャ収納室３９は冷蔵室３のＬドア４の後方に配置され、Ｒプッシャ収納室４０は冷蔵室３のＲドア５の後方に配置され、Ｉプッシャ収納室４１は製氷室１３のＩスライドドア１４の後方に配置され、Ｓプッシャ収納室４２はセレクト室のＳスライドドア１５の後方に配置されている。
【００２２】
Ｌプッシャ収納室３９内には、図３に示すように、Ｌプッシャ４３が挿入されている。このＬプッシャ４３は冷蔵室３のＬドア４の後方に対向配置されたものであり、Ｌドア４の閉鎖状態でＬドア４を前方へ押圧操作する押圧位置およびＬドア４の閉鎖状態でＬドア４の後面から離間する退避位置相互間でＬプッシャ収納室３９の壁面に沿って前後方向へ直線的に移動可能にされている。Ｒプッシャ収納室４０内にはＲプッシャ４４が挿入されている。このＲプッシャ４４は冷蔵室３のＲドア５の後方に対向配置されたものであり、Ｒドア５の閉鎖状態でＲドア５を前方へ押圧操作する押圧位置およびＲドア５の閉鎖状態でＲドア５の後面から離間する退避位置相互間でＲプッシャ収納室４０の壁面に沿って前後方向へ直線的に移動可能にされている。これらＬプッシャ４３およびＲプッシャ４４のそれぞれはプッシャ部材に相当するものである。
【００２３】
Ｉプッシャ収納室４１内には、図３に示すように、Ｉプッシャ４５が挿入されている。このＩプッシャ４５は製氷室１３のＩスライドドア１４の後方に対向配置されたものであり、Ｉスライドドア１４の閉鎖状態でＩスライドドア１４を前方へ押圧操作する押圧位置およびＩスライドドア１４の閉鎖状態でＩスライドドア１４の後面から離間する退避位置相互間でＩプッシャ収納室４１の壁面に沿って前後方向へ直線的に移動可能にされている。Ｓプッシャ収納室４２内には、図１０に示すように、Ｓプッシャ４６が挿入されている。このＳプッシャ４６はセレクト室のＳスライドドア１５の後方に対向配置されたものであり、Ｓスライドドア１５の閉鎖状態でＳスライドドア１５を前方へ押圧操作する押圧位置およびＳスライドドア１５の閉鎖状態でＳスライドドア１５の後面から離間する退避位置相互間でＳプッシャ収納室４２の壁面に沿って前後方向へ直線的に移動可能にされている。これらＩプッシャ４５およびＳプッシャ４６のそれぞれはプッシャ部材に相当するものである。
【００２４】
上断熱仕切壁２の内部には、図３に示すように、前面および後面のそれぞれが開口する円筒状の電磁石ホルダ４７が固定されている。この電磁石ホルダ４７は非磁性の合成樹脂を材料とするものであり、プランジャ３４の後端部は電磁石ホルダ４７の内部に挿入されている。この電磁石ホルダ４７の内周面には、図４に示すように、Ｌ電磁石４８とＲ電磁石４９とＩ電磁石５０とＳ電磁石５１のそれぞれがプランジャ３４を取囲むように円周方向に相互に間隔を置いて固定されている。これらＬ電磁石４８〜Ｓ電磁石５１のそれぞれは鉄心の外周面にマグネットワイヤを巻回することから構成されたものであり、Ｌ電磁石４８〜Ｓ電磁石５１のそれぞれの先端部はマグネットワイヤに正方向に電流が流れることに基づいてＮ極に磁化され、マグネットワイヤに逆方向に電流が流れることに基づいてＳ極に磁化される。これらＬ電磁石４８〜Ｓ電磁石５１のそれぞれは電磁石に相当するものであり、Ｌ電磁石４８〜Ｓ電磁石５１のそれぞれの先端部はプランジャ３４に径方向から対向する部分を称する。
【００２５】
プランジャ３４には、図３に示すように、鍔部３５の後方に位置して永久磁石５２が固定されている。この永久磁石５２は、図４に示すように、プランジャ３４側の基端部がＮ極に着磁され、プランジャ３４とは反対側の先端部がＳ極に着磁されたものであり、Ｌ電磁石４８〜Ｓ電磁石５１のそれぞれはプランジャ３４が前進位置および後退位置のいずれに操作されているときであっても永久磁石５２の先端部の全体が径方向から対向する長さ寸法に設定されている。この永久磁石５２はＬ電磁石４８〜Ｓ電磁石５１と共に第１の駆動源７０を構成するものであり、プランジャ３４が後退位置で軸心線ＣＬを中心に回転することに基づいてプランジャ３４と共にＬドア操作位置とＲドア操作位置とＩドア操作位置とＳドア操作位置相互間で円周方向へ移動する。
【００２６】
Ｌドア操作位置は、図４に示すように、永久磁石５２がＬ電磁石４８にＬ電磁石４８の磁気吸引力で吸引されることに基づいて径方向から対向する位置であり、永久磁石５２はＬ電磁石４８の先端部がＮ極に磁化され、Ｒ電磁石４９とＩ電磁石５０とＳ電磁石５１のそれぞれの先端部がＳ極に磁化されることに基づいてプランジャ３４と共にＬドア操作位置に移動する。Ｒドア操作位置は永久磁石５２がＲ電磁石４９にＲ電磁石４９の磁気吸引力で吸引されることに基づいて径方向から対向する位置であり、永久磁石５２はＲ電磁石４９の先端部がＮ極に磁化され、Ｌ電磁石４８とＩ電磁石５０とＳ電磁石５１のそれぞれの先端部がＳ極に磁化されることに基づいてプランジャ３４と共にＲドア操作位置に移動する。
【００２７】
Ｉドア操作位置は永久磁石５２がＩ電磁石５０にＩ電磁石５０の磁気吸引力で吸引されることに基づいて径方向から対向する位置であり、永久磁石５２はＩ電磁石５０の先端部がＮ極に磁化され、Ｌ電磁石４８とＲ電磁石４９とＳ電磁石５１のそれぞれの先端部がＳ極に磁化されることに基づいてプランジャ３４と共にＩドア操作位置に移動する。Ｓドア操作位置は永久磁石５２がＳ電磁石５１にＳ電磁石５１の磁気吸引力で吸引されることに基づいて径方向から対向する位置であり、永久磁石５２はＳ電磁石５１の先端部がＮ極に磁化され、Ｌ電磁石４８とＲ電磁石４９とＩ電磁石５０のそれぞれの先端部がＳ極に磁化されることに基づいてプランジャ３４と共にＳドア操作位置に移動する。
【００２８】
Ｌプッシャ４３とＲプッシャ４４とＩプッシャ４５とＳプッシャ４６のそれぞれには、図３に示すように、突状のスプリング受け５３が形成されており、Ｌプッシャ４３のスプリング受け５３〜Ｓプッシャ４６のスプリング受け５３のそれぞれの前方には共通の支持プレート５４が対向配置されている。この支持プレート５４は仕切部材３８の前端部に固定されたものであり、Ｌプッシャ４３のスプリング受け５３および支持プレート５４相互間にはプッシャスプリング５５が介在され、Ｒプッシャ４４のスプリング受け５３および支持プレート５４相互間にはプッシャスプリング５５が介在され、Ｉプッシャ４５のスプリング受け５３および支持プレート５４相互間にはプッシャスプリング５５が介在され、Ｓプッシャ４６のスプリング受け５３および支持プレート５４相互間にはプッシャスプリング５５が介在されている。これらプッシャスプリング５５のそれぞれは圧縮コイルスプリングからなるものであり、Ｌプッシャ４３とＲプッシャ４４とＩプッシャ４５とＳプッシャ４６のそれぞれはプッシャスプリング５５のばね力で退避位置に保持され、プッシャスプリング５５のばね力に抗して退避位置から押圧位置に移動する。
【００２９】
ドア操作ソレノイド３１のプランジャ３４の前端部には、図３に示すように、棒状の延長ロッド５６が固定されている。この延長ロッド５６はプランジャ３４と同心な円柱状をなすものであり、プランジャ３４と共に後退位置および前進位置相互間で前後方向へ直線的に移動し、プランジャ３４と共に軸心線ＣＬを中心に回転する。この延長ロッド５６は可動部材に相当するものであり、プランジャ３４の軸心線ＣＬは延長ロッド５６の軸に相当するものである。この延長ロッド５６の前端部には棒状の連結ロッド５７が固定されている。この連結ロッド５７は延長ロッド５６を中心に径方向へ延びるものであり、連結ロッド５７の先端部には棒状のプッシュロッド５８が固定されている。このプッシュロッド５８は延長ロッド５６に対して平行に前後方向へ直線的に延びる円柱状をなすものであり、延長ロッド５６がプランジャ３４の後退位置で軸心線ＣＬを中心に回転することに基づいてＬプッシャ４３〜Ｓプッシャ４６のそれぞれに後方から対向するように円周方向へ移動する。このプッシュロッド５８は操作部材に相当するものである。
【００３０】
プッシュロッド５８の前端部には、図３に示すように、プッシュヘッド５９が固定されている。このプッシュヘッド５９はプッシャロッド５８に比べて直径寸法が大きな円柱状をなすものであり、プランジャ３４の後退位置で永久磁石５２がＬドア操作位置に移動することに基づいてＬプッシャ４３の後面に隙間を介して対向し、プランジャ３４の後退位置で永久磁石５２がＲドア操作位置に移動することに基づいてＲプッシャ４４の後面に隙間を介して対向し、プランジャ３４の後退位置で永久磁石５２がＩドア操作位置に移動することに基づいてＩプッシャ４５の後面に隙間を介して対向し、プランジャ３４の後退位置で永久磁石５２がＳドア操作位置に移動することに基づいてＳプッシャ４６の後面に隙間を介して対向する。
【００３１】
ドア操作ソレノイド３１のソレノイドコイル３３は、図５に示すように、ソレノイド駆動回路６０に接続されている。このソレノイド駆動回路６０はソレノイドコイル３３に直流の駆動電源を印加するものであり、マイクロコンピュータを主体に構成された制御回路６１に接続されている。この制御回路６１はＣＰＵとＲＯＭとＲＡＭを有するものであり、ソレノイド駆動回路６０を駆動制御することに基づいてドア操作ソレノイド３１のプランジャ３４を後退位置および前進位置相互間で移動操作する。
【００３２】
制御回路６１には、図５に示すように、Ｌ電磁石駆動回路６２およびＲ電磁石駆動回路６３のそれぞれが接続されている。Ｌ電磁石駆動回路６２はＬ電磁石４８のマグネットワイヤにＬ電磁石４８の先端部をＮ極に磁化するための直流の駆動電源およびＬ電磁石４８の先端部をＳ極に磁化するための直流の駆動電源を択一的に印加するものであり、制御回路６１はＬ電磁石駆動回路６２を駆動制御することに基づいてＬ電磁石４８の先端部をＮ極およびＳ極のそれぞれに磁化する。Ｒ電磁石駆動回路６３はＲ電磁石４９のマグネットワイヤにＲ電磁石４９の先端部をＮ極に磁化するための直流の駆動電源およびＲ電磁石４９の先端部をＳ極に磁化するための直流の駆動電源を択一的に印加するものであり、制御回路６１はＲ電磁石駆動回路６３を駆動制御することに基づいてＲ電磁石４９の先端部をＮ極およびＳ極のそれぞれに磁化する。
【００３３】
制御回路６１には、図５に示すように、Ｉ電磁石駆動回路６４およびＳ電磁石駆動回路６５のそれぞれが接続されている。Ｉ電磁石駆動回路６４はＩ電磁石５０のマグネットワイヤにＩ電磁石５０の先端部をＮ極に磁化するための直流の駆動電源およびＩ電磁石５０の先端部をＳ極に磁化するための直流の駆動電源を択一的に印加するものであり、制御回路６１はＩ電磁石駆動回路６４を駆動制御することに基づいてＩ電磁石５０の先端部をＮ極およびＳ極のそれぞれに磁化する。Ｓ電磁石駆動回路６５はＳ電磁石５１のマグネットワイヤにＳ電磁石５１の先端部をＮ極に磁化するための直流の駆動電源およびＳ電磁石５１の先端部をＳ極に磁化するための直流の駆動電源を択一的に印加するものであり、制御回路６１はＳ電磁石駆動回路６５を駆動制御することに基づいてＳ電磁石５１の先端部をＮ極およびＳ極のそれぞれに磁化する。この制御回路６１は第１の駆動制御手段および第２の駆動制御手段のそれぞれに相当するものである。
【００３４】
制御回路６１には、図５に示すように、Ｌドア開放スイッチ６６およびＲドア開放スイッチ６７のそれぞれが接続されている。Ｌドア開放スイッチ６６は上断熱仕切壁２の内部にＬドアボタン１０の永久磁石の後方に位置して収納されたホールＩＣからなるものであり、Ｌドアボタン１０の初期位置で永久磁石からの磁力を受けずにオフされ、Ｌドアボタン１０が初期位置から押込み位置に操作されることに基づいて永久磁石からの磁力を受けてオンされる。Ｒドア開放スイッチ６７は上断熱仕切壁２の内部にＲドアボタン１１の永久磁石の後方に位置して収納されたホールＩＣからなるものであり、Ｒドアボタン１１の初期位置で永久磁石からの磁力を受けずにオフされ、Ｒドアボタン１１が初期位置から押込み位置に操作されることに基づいて永久磁石からの磁力を受けてオンされる。
【００３５】
制御回路６１には、図５に示すように、Ｉドア開放スイッチ６８およびＳドア開放スイッチ６９のそれぞれが接続されている。Ｉドア開放スイッチ６８は上断熱仕切壁２の内部にＩドアボタン１８の永久磁石の後方に位置して収納されたホールＩＣからなるものであり、Ｉドアボタン１８の初期位置で永久磁石からの磁力を受けずにオフされ、Ｉドアボタン１８が初期位置から押込み位置に操作されることに基づいて永久磁石からの磁力を受けてオンされる。Ｓドア開放スイッチ６９は上断熱仕切壁２の内部にＳドアボタン１９の永久磁石の後方に位置して収納されたホールＩＣからなるものであり、Ｓドアボタン１９の初期位置で永久磁石からの磁力を受けずにオフされ、Ｓドアボタン１９が初期位置から押込み位置に操作されることに基づいて永久磁石からの磁力を受けてオンされる。
【００３６】
制御回路６１のＲＯＭには制御プログラムが記録されており、制御回路６１のＣＰＵはドア操作ソレノイド３１とＬ電磁石４８とＲ電磁石４９とＩ電磁石５０とＳ電磁石５１のそれぞれを制御プログラムに基づいて駆動制御することでＬドア４とＲドア５とＩスライドドア１４とＳスライドドア１５のそれぞれを開放状態から前方へ操作する。以下、制御回路６１のＣＰＵの処理内容を図６のフローチャートに基づいて説明する。ＣＰＵはステップＳ１でＬドア開放スイッチ６６がオンされたか否かを判断し、ステップＳ５でＲドア開放スイッチ６７がオンされたか否かを判断し、ステップＳ９でＩドア開放スイッチ６８がオンされたか否かを判断し、ステップＳ１３でＳドア開放スイッチ６９がオンされたか否かを判断する。
【００３７】
ＣＰＵはステップＳ１でＬドア開放スイッチ６６がオンされたことを判断すると、ステップＳ２の電磁石通電開始処理Ｌへ移行する。ここでＬ電磁石駆動回路６２を駆動制御することに基づいてＬ電磁石４８の先端部をＮ極に磁化し、Ｒ電磁石駆動回路６３を駆動制御することに基づいてＲ電磁石４９の先端部をＳ極に磁化し、Ｉ電磁石駆動回路６４を駆動制御することに基づいてＩ電磁石５０の先端部をＳ極に磁化し、Ｓ電磁石駆動回路６５を駆動制御することに基づいてＳ電磁石５１の先端部をＳ極に磁化する。これらＬ電磁石４８〜Ｓ電磁石５１のそれぞれが磁化された状態ではＲ電磁石４９の先端部とＩ電磁石５０の先端部とＳ電磁石５１の先端部のそれぞれから永久磁石５２の先端部に磁気反発力が作用し、Ｌ電磁石４８の先端部から永久磁石５２の先端部に磁気吸引力が作用するので、永久磁石５２がＬドア操作位置に操作されていないときには永久磁石５２の先端部が磁気反発力を受けることに基づいてドア操作ソレノイド３１のプランジャ３４と共に現在位置から円周方向へ移動する。
【００３８】
ＣＰＵはステップＳ２でＬ電磁石４８〜Ｓ電磁石５１のそれぞれを磁化すると、ステップＳ３でＲＡＭのタイマＴ１を「０」にリセットする。このタイマＴ１はＣＰＵが一定の時間間隔でタイマ割込み処理を起動し、タイマ割込み処理で単位値を加算することに基づいて計測するものであり、ＣＰＵはステップＳ３でタイマＴ１をリセットしたときにはステップＳ４へ移行し、タイマＴ１の加算結果をＲＯＭに予め記録された移動停止時間と比較する。この移動停止時間は永久磁石５２の先端部が磁気反発力を受けて円周方向へ移動開始してから磁気吸引力を受けて移動停止するまでに要する最大の所要時間に設定されたものであり、ＣＰＵは永久磁石５２がＬ電磁石４８の磁気吸引力でＬドア操作位置に移動停止したときにはステップＳ４で「Ｔ１＝移動停止時間」を判断し、ステップＳ１７へ移行する。
【００３９】
ＣＰＵはステップＳ１７へ移行すると、ドア操作ソレノイド３１のソレノイドコイル３３を通電開始する。このソレノイドコイル３３の通電はＬ電磁石４８〜Ｓ電磁石５１のそれぞれを磁化したままの状態で行われるものであり、ドア操作ソレノイド３１のプランジャ３４は、図７に示すように、ソレノイドコイル３３が通電開始されることに基づいて永久磁石５２がＬドア操作位置に磁気吸引力で位置決めされたままの状態で後退位置から前方へ移動する。
【００４０】
ＣＰＵは図６のステップＳ１７でソレノイドコイル３３を通電開始すると、ステップＳ１８でＲＡＭのタイマＴ２を「０」にリセットする。このタイマＴ２はＣＰＵが一定の時間間隔でタイマ割込み処理を起動し、タイマ割込み処理で単位値を加算することに基づいて計測するものであり、ＣＰＵはステップＳ１８でタイマＴ２をリセットしたときにはステップＳ１９へ移行し、タイマＴ２の加算結果をＲＯＭに予め記録された前進停止時間と比較する。この前進停止時間はドア操作ソレノイド３１のプランジャ３４が後退位置から前進位置へ移動するのに要する所要時間に設定されたものであり、ＣＰＵはプランジャ３４が後退位置から前進位置へ移動したときにはステップＳ１９で「Ｔ２＝前進停止時間」を判断し、ステップＳ２０でドア操作ソレノイド３１のソレノイドコイル３３を通電停止する。そして、ステップＳ２１の電磁石通電停止処理へ移行し、Ｌ電磁石４８とＲ電磁石４９とＩ電磁石５０とＳ電磁石５１のそれぞれを通電停止する。
【００４１】
即ち、使用者がＬドア４の閉鎖状態でＬドアボタン１０を初期位置から押込み位置へ操作したときにはドア操作ソレノイド３１のプランジャ３４が延長ロッド５６およびプッシュロッド５８のそれぞれと共にＬドア操作位置で後退位置から前進位置へ移動する。すると、プッシュヘッド５９が前方のＬプッシャ４３をプッシャスプリング５５のばね力に抗して退避位置から押圧位置へ押圧操作するので、Ｌプッシャ４３が前方のＬドア４を後から前に向けて押圧することに基づいて閉鎖状態から前方へ操作する。この状態でソレノイドコイル３３とＬ電磁石４８とＲ電磁石４９とＩ電磁石５０とＳ電磁石５１のそれぞれが断電されたときにはプランジャ３４が延長ロッド５６およびプッシュロッド５８のそれぞれと共にリターンスプリング３６のばね力で後退位置に復帰し、Ｌプッシャ４３がプッシャスプリング５５のばね力で退避位置に復帰する。
【００４２】
ＣＰＵは図６のステップＳ５でＲドア開放スイッチ６７がオンされたことを判断すると、ステップＳ６の電磁石通電開始処理Ｒへ移行する。ここでＬ電磁石駆動回路６２を駆動制御することに基づいてＬ電磁石４８の先端部をＳ極に磁化し、Ｒ電磁石駆動回路６３を駆動制御することに基づいてＲ電磁石４９の先端部をＮ極に磁化し、Ｉ電磁石駆動回路６４を駆動制御することに基づいてＩ電磁石５０の先端部をＳ極に磁化し、Ｓ電磁石駆動回路６５を駆動制御することに基づいてＳ電磁石５１の先端部をＳ極に磁化する。これらＬ電磁石４８〜Ｓ電磁石５１のそれぞれが磁化された状態ではＬ電磁石４８の先端部とＩ電磁石５０の先端部とＳ電磁石５１の先端部のそれぞれから永久磁石５２の先端部に磁気反発力が作用し、Ｒ電磁石４９の先端部から永久磁石５２の先端部に磁気吸引力が作用するので、永久磁石５２がＲドア操作位置に操作されていないときには永久磁石５２の先端部が磁気反発力を受けて現在位置から円周方向へ移動する。
【００４３】
ＣＰＵはステップＳ６でＬ電磁石４８〜Ｓ電磁石５１のそれぞれを磁化すると、ステップＳ７でタイマＴ１を「０」にリセットする。そして、ステップＳ８でタイマＴ１の加算結果を移動停止時間と比較し、永久磁石５２がＲドア操作位置にＲ電磁石４９の磁気吸引力で移動停止したときにはステップＳ８で「Ｔ１＝移動停止時間」を判断してステップＳ１７へ移行する。ここでＬ電磁石４８〜Ｓ電磁石５１のそれぞれを磁化したままドア操作ソレノイド３１のソレノイドコイル３３を通電開始し、図８に示すように、ドア操作ソレノイド３１のプランジャ３４をＲドア操作位置にＲ電磁石４９の磁気吸引力で位置決めしたまま後退位置から前方へ移動開始する。
【００４４】
即ち、使用者がＲドア５の閉鎖状態でＲドアボタン１１を初期位置から押込み位置へ操作したときにはドア操作ソレノイド３１のプランジャ３４が延長ロッド５６およびプッシュロッド５８のそれぞれと共にＲドア操作位置に磁力でロックされたまま後退位置から前進位置へ移動する。すると、プッシュヘッド５９が前方のＲプッシャ４４をプッシャスプリング５５のばね力に抗して退避位置から押圧位置へ押圧操作するので、Ｒプッシャ４４が前方のＲドア５を後から前に向けて押圧することに基づいて閉鎖状態から前方へ操作する。
【００４５】
ＣＰＵは図６のステップＳ９でＩドア開放スイッチ６８がオンされたことを判断すると、ステップＳ１０の電磁石通電開始処理Ｉへ移行する。ここでＬ電磁石駆動回路６２を駆動制御することに基づいてＬ電磁石４８の先端部をＳ極に磁化し、Ｒ電磁石駆動回路６３を駆動制御することに基づいてＲ電磁石４９の先端部をＳ極に磁化し、Ｉ電磁石駆動回路６４を駆動制御することに基づいてＩ電磁石５０の先端部をＮ極に磁化し、Ｓ電磁石駆動回路６５を駆動制御することに基づいてＳ電磁石５１の先端部をＳ極に磁化する。これらＬ電磁石４８〜Ｓ電磁石５１のそれぞれが磁化された状態ではＬ電磁石４８の先端部とＲ電磁石４９の先端部とＳ電磁石５１の先端部のそれぞれから永久磁石５２の先端部に磁気反発力が作用し、Ｉ電磁石５０の先端部から永久磁石５２の先端部に磁気吸引力が作用するので、永久磁石５２がＩドア操作位置に操作されていないときには永久磁石５２の先端部が磁気反発力を受けて現在位置から円周方向へ移動する。
【００４６】
ＣＰＵはステップＳ１０でＬ電磁石４８〜Ｓ電磁石５１のそれぞれを磁化すると、ステップＳ１１でタイマＴ１を「０」にリセットする。そして、ステップＳ１２でタイマＴ１の加算結果を移動停止時間と比較し、永久磁石５２がＩドア操作位置にＩ電磁石５０の磁気吸引力で移動停止したときにはステップＳ１２で「Ｔ１＝移動停止時間」を判断してステップＳ１７へ移行する。ここでＬ電磁石４８〜Ｓ電磁石５１のそれぞれを磁化したままドア操作ソレノイド３１のソレノイドコイル３３を通電開始し、図９に示すように、ドア操作ソレノイド３１のプランジャ３４をＩ電磁石５０の磁気吸引力でＩドア操作位置に磁気的にロックしたまま後退位置から前方へ移動開始する。
【００４７】
即ち、使用者がＩスライドドア１４の閉鎖状態でＩドアボタン１８を初期位置から押込み位置へ操作したときにはドア操作ソレノイド３１のプランジャ３４が延長ロッド５６およびプッシュロッド５８のそれぞれと共にＩドア操作位置に磁力でロックされたまま後退位置から前進位置へ移動する。すると、プッシュヘッド５９が前方のＩプッシャ４５をプッシャスプリング５５のばね力に抗して退避位置から押圧位置へ押圧操作するので、Ｉプッシャ４５が前方のＩスライドドア１４を後から前に向けて押圧することに基づいて閉鎖状態から前方へ操作する。
【００４８】
ＣＰＵは図６のステップＳ１３でＳドア開放スイッチ６９がオンされたことを判断すると、ステップＳ１４の電磁石通電開始処理Ｓへ移行する。ここでＬ電磁石駆動回路６２を駆動制御することに基づいてＬ電磁石４８の先端部をＳ極に磁化し、Ｒ電磁石駆動回路６３を駆動制御することに基づいてＲ電磁石４９の先端部をＳ極に磁化し、Ｉ電磁石駆動回路６４を駆動制御することに基づいてＩ電磁石５０の先端部をＳ極に磁化し、Ｓ電磁石駆動回路６５を駆動制御することに基づいてＳ電磁石５１の先端部をＮ極に磁化する。これらＬ電磁石４８〜Ｓ電磁石５１のそれぞれが磁化された状態ではＬ電磁石４８の先端部とＲ電磁石４９の先端部とＩ電磁石５０の先端部のそれぞれから永久磁石５２の先端部に磁気反発力が作用し、Ｓ電磁石５１の先端部から永久磁石５２の先端部に磁気吸引力が作用するので、永久磁石５２がＳドア操作位置に操作されていないときには永久磁石５２の先端部が磁気反発力を受けて現在位置から円周方向へ移動する。
【００４９】
ＣＰＵはステップＳ１４でＬ電磁石４８〜Ｓ電磁石５１のそれぞれを磁化すると、ステップＳ１５でタイマＴ１を「０」にリセットする。そして、ステップＳ１６でタイマＴ１の加算結果を移動停止時間と比較し、永久磁石５２がＳドア操作位置にＳ電磁石５１の磁気吸引力で移動停止したときにはステップＳ１６で「Ｔ１＝移動停止時間」を判断してステップＳ１７へ移行する。ここでＬ電磁石４８〜Ｓ電磁石５１のそれぞれを磁化したままドア操作ソレノイド３１のソレノイドコイル３３を通電開始し、図１０に示すように、プランジャ３４をＳドア操作位置にＳ電磁石５１の磁気吸引力でロックしたまま後退位置から前方へ移動開始する。
【００５０】
即ち、使用者がＳスライドドア１５の閉鎖状態でＳドアボタン１９を初期位置から押込み位置へ操作したときにはドア操作ソレノイド３１のプランジャ３４が延長ロッド５６およびプッシュロッド５８のそれぞれと共にＳドア操作位置に磁力でロックされたまま後退位置から前進位置へ移動する。すると、プッシュヘッド５９が前方のＳプッシャ４６をプッシャスプリング５５のばね力に抗して退避位置から押圧位置へ押圧操作するので、Ｓプッシャ４６が前方のＳスライドドア１５を後から前に向けて押圧することに基づいて閉鎖状態から前方へ操作する。
【００５１】
ＣＰＵは図６のステップＳ１７でドア操作ソレノイド３１のプランジャ３４をＲドア操作位置またはＩドア操作位置またはＳドア操作位置に磁力でロックしたままソレノイドコイル３３を通電開始すると、ステップＳ１８でタイマＴ２を「０」にリセットする。そして、ステップＳ１９でタイマＴ２の加算結果を前進停止時間と比較し、プランジャ３４が後退位置から前進位置へ移動したときにはステップＳ１９で「Ｔ２＝前進停止時間」を判断する。この場合にはステップＳ２０でドア操作ソレノイド３１のソレノイドコイル３３を通電停止し、ステップＳ２１の電磁石通電停止処理でＬ電磁石４８とＲ電磁石４９とＩ電磁石５０とＳ電磁石５１のそれぞれを通電停止する。これらソレノイドコイル３３とＬ電磁石４８とＲ電磁石４９とＩ電磁石５０とＳ電磁石５１のそれぞれが断電されたときにはプランジャ３４が延長ロッド５６およびプッシュロッド５８のそれぞれと共にリターンスプリング３６のばね力で後退位置に復帰し、Ｒプッシャ４４またはＩプッシャ４５またはＳプッシャ４６がプッシャスプリング５５のばね力で退避位置に復帰する。
【００５２】
上記実施例１によれば次の効果を奏する。
Ｌ電磁石４８とＲ電磁石４９とＩ電磁石５０とＳ電磁石５１のそれぞれが延長ロッド５６の後退位置で磁化されたときには延長ロッド５６が軸心線ＣＬを中心に回転することに基づいてプッシュロッド５８が円周方向へ移動し、プッシュロッド５８のプッシュヘッド５９がＬプッシャ４３とＲプッシャ４４とＩプッシャ４５とＳプッシャ４６のうち延長ロッド５６の回転位置に応じた１つのものに後方から対向する。この状態でドア操作ソレノイド３１が作動したときにはプッシュヘッド５９が後退位置から前進位置へ移動し、Ｌプッシャ４３〜Ｓプッシャ４６のうちプッシュヘッド５９の前方の１つのものがプッシュヘッド５９によって退避位置から押圧位置へ押圧操作され、Ｌドア５とＲドア６とＩスライドドア１４とＳスライドドア１５のうちプッシュヘッド５９の前方の１つのものが閉鎖状態から前方へ押圧操作される。このため、Ｌドア５〜Ｓスライドドア１５のそれぞれを共通のドア操作装置３０によって択一的に閉鎖状態から前方へ操作することができるので、キャビネット１内にドア操作装置をドア毎に収納する必要がなくなる。従って、キャビネット１の収納スペースが小さくなることを抑えることができる。
【００５３】
ドア操作ソレノイド３１のプランジャ３４に永久磁石５２を固定し、永久磁石５２をＬ電磁石４８とＲ電磁石４９とＩ電磁石５０とＳ電磁石５１のいずれかに磁気吸引力で吸引することに基づいてプッシュロッド５８を目標位置に回転操作した。このため、プッシュロッド５８を目標位置に回転操作する専用のモータが不要になるので、構成が簡単になる。しかも、Ｌ電磁石４８〜Ｓ電磁石５１のそれぞれの長さ寸法をプランジャ３４が前進位置および後退位置のいずれに操作されているときであっても永久磁石５２がＬ電磁石４８〜Ｓ電磁石５１のそれぞれに径方向から対向する値に設定し、ドア操作ソレノイド３１のプランジャ３４を後退位置から前進位置へ移動操作するときにＬ電磁石４８〜Ｓ電磁石５１のそれぞれを通電状態に維持することに基づいてプッシュロッド５８を回転方向に磁力でロックした。このため、プランジャ３４が後退位置から前進位置へ移動するときにプランジャ３４が軸心線ＣＬを中心に回転することに基づいてプッシュロッド５８が円周方向に位置ずれすることが防止されるので、Ｌドア４〜Ｓスライドドア１５のうち目標とする１つのものを確実に閉鎖状態から前方へ操作することができる。
【００５４】
Ｌドア４を操作するためのＬドアボタン１０をＬドア４に装着し、Ｒドア５を操作するためのＲドアボタン１１をＲドア５に装着し、Ｉスライドドア１４を操作するためのＩドアボタン１８をＩスライドドア１４に装着し、Ｓスライドドア１５を操作するためのＳドアボタン１９をＳスライドドア１５に装着した。このため、使用者がＬドア４を操作するときにはＬドアボタン１０を迷うことなく操作し、Ｒドア５を操作するときにはＲドアボタン１１を迷うことなく操作し、Ｉスライドドア１４を操作するときにはＩドアボタン１８を迷うことなく操作し、Ｓスライドドア１５を操作するときにはＳドアボタン１９を迷うことなく操作することができる。
【００５５】
上記実施例１においては、ドア操作ソレノイド３１のプランジャ３４をＬドア操作位置で後退位置から前進位置へ移動操作するときにはＬ電磁石４８から永久磁石５２に磁気吸引力が作用するようにＬ電磁石４８のみを通電状態に維持し、ドア操作ソレノイド３１のプランジャ３４をＲドア操作位置で後退位置から前進位置へ移動操作するときにはＲ電磁石４９から永久磁石５２に磁気吸引力が作用するようにＲ電磁石４９のみを通電状態に維持し、ドア操作ソレノイド３１のプランジャ３４をＩドア操作位置で後退位置から前進位置へ移動操作するときにはＩ電磁石５０から永久磁石５２に磁気吸引力が作用するようにＩ電磁石５０のみを通電状態に維持し、ドア操作ソレノイド３１のプランジャ３４をＳドア操作位置で後退位置から前進位置へ移動操作するときにはＳ電磁石５１から永久磁石５２に磁気吸引力が作用するようにＳ電磁石５１のみを通電状態に維持しても良い。
【００５６】
上記実施例１においては、Ｉスライドドア１４とＳスライドドア１５とＦスライドドア２３のそれぞれを共通のドア操作装置３０によって閉鎖状態から前方へ操作する構成としても良い。
【００５７】
上記実施例１においては、Ｆスライドドア２３およびＶスライドドア２４のそれぞれを共通のドア操作装置３０によって閉鎖状態から前方へ操作する構成としても良い。
【図面の簡単な説明】
【００５８】
【図１】実施例１を示す図（冷蔵庫の内部構成を示す断面図）
【図２】冷蔵庫の外観を示す図
【図３】ドア操作装置を示す図（ａはＸａ線に沿う断面図、ｂはＸｂ線に沿う断面図）
【図４】図３のＸ４線に沿う断面図
【図５】電気的構成を示すブロック図
【図６】制御回路の処理内容を示すフローチャート
【図７】ドア操作装置を示す図３の（ａ）相当図（Ｌドアが前方へ操作された状態を示す図）
【図８】ドア操作装置を示す図３の（ａ）相当図（Ｒドアが前方へ操作された状態を示す図）
【図９】ドア操作装置を示す図３の（ａ）相当図（Ｉスライドドアが前方へ操作された状態を示す図）
【図１０】ドア操作装置を示す図３の（ａ）相当図（Ｓスライドドアが前方へ操作された状態を示す図）
【符号の説明】
【００５９】
１はキャビネット、４はＬドア（ドア）、５はＲドア（ドア）、１０はＬドアボタン（操作子）、１１はＲドアボタン（操作子）、１４はＩスライドドア（ドア）、１５はＳスライドドア（ドア）、１８はＩドアボタン（操作子）、１９はＳドアボタン（操作子）、３１はドア操作ソレノイド（第２の駆動源）、３４はプランジャ、４３はＬプッシャ（プッシャ部材）、４４はＲプッシャ（プッシャ部材）、４５はＩプッシャ（プッシャ部材）、４６はＳプッシャ（プッシャ部材）、４８はＬ電磁石（電磁石）、４９はＲ電磁石（電磁石）、５０はＩ電磁石（電磁石）、５１はＳ電磁石（電磁石）、５２は永久磁石、５６は延長ロッド（可動部材）、５７は連結ロッド、５８はプッシュロッド（操作部材）、６１は制御回路（第１の駆動制御手段，第２の駆動制御手段）、７０は第１の駆動源を示している。
【図１】
2009139018.tif 000003
【図２】
2009139018.tif 000004
【図３】
2009139018.tif 000005
【図４】
2009139018.tif 000006
【図５】
2009139018.tif 000007
【図６】
2009139018.tif 000008
【図７】
2009139018.tif 000009
【図８】
2009139018.tif 000010
【図９】
2009139018.tif 000011
【図１０】
2009139018.tif 000012